(57)【要約】【課題】  対物レンズ駆動装置の感度の向上及び小型薄型化を図る。【解決手段】  対物レンズ駆動装置８に、移動ベース７上に設けられた固定プレート１０上に配置された固定ブロック１１と、対物レンズ２２を保持しフォーカシング方向、トラッキング方向及びチルト方向へ動作される可動ブロック１２と、該可動ブロックを固定ブロックに対して支持する支持バネ２０、２０、・・・と、可動ブロックをフォーカシング方向又はトラッキング方向へ動作させる第１の磁気回路２７と、可動ブロックをチルト方向へ動作させる第２の磁気回路３０とを設け、該第２の磁気回路はＮ極２９ａ、２９ａとＳ極２９ｂ、２９ｂがフォーカシング方向において位置するように２極着磁された一対のチルトマグネット２９、２９と該チルトマグネットに対向し巻軸方向がタンジェンシャル方向である一対のチルトコイル１６、１６とを有し、チルトマグネットを可動ブロックに設け、チルトコイルを固定ブロックに設け、第１の磁気回路を挟んでタンジェンシャル方向における反対側に対物レンズと第２の磁気回路とを位置させた。【選択図】  図２
2005302161.tif 000002
【特許請求の範囲】
【請求項１】
ディスクテーブルに装着されるディスク状記録媒体の半径方向へ移動される移動ベースと該移動ベースに配置された対物レンズ駆動装置とを備えた光ピックアップであって、
上記対物レンズ駆動装置は、
上記移動ベース上に設けられた固定プレートと、
該固定プレート上に配置され移動ベースに対して固定された固定ブロックと、
対物レンズを保持すると共に固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作される可動ブロックと、
該可動ブロックを固定ブロックに対して移動可能に支持する複数の支持バネと、
可動ブロックを上記フォーカシング方向又はトラッキング方向へ動作させる第１の磁気回路と、
可動ブロックを上記チルト方向へ動作させる第２の磁気回路とを備え、
該第２の磁気回路はＮ極とＳ極がフォーカシング方向において位置するように２極着磁され上記半径方向に離隔して配置された一対のチルトマグネットと該一対のチルトマグネットにそれぞれ対向して配置され巻軸方向がタンジェンシャル方向である一対のチルトコイルとを有し、
一対のチルトマグネットが可動ブロックに設けられ、
一対のチルトコイルが固定ブロックに設けられ、
上記第１の磁気回路を挟んでタンジェンシャル方向における反対側に対物レンズと第２の磁気回路とが位置されるようにした
ことを特徴とする光ピックアップ。
【請求項２】
上記固定プレートの一部を立ち曲げて、チルトコイルを挟んでタンジェンシャル方向におけるチルトマグネットの反対側に配置されたチルトヨークを設けた
ことを特徴とする請求項１に記載の光ピックアップ。
【請求項３】
上記チルトマグネットのチルトコイルと対向する面の反対の面側にバックヨークを配置した
ことを特徴とする請求項１に記載の光ピックアップ。
【請求項４】
ディスク状記録媒体が装着されるディスクテーブルと該ディスクテーブルに装着されるディスク状記録媒体に対して対物レンズを介してレーザー光を照射する光ピックアップとを備え、該光ピックアップはディスクテーブルに装着されるディスク状記録媒体の半径方向へ移動される移動ベースと該移動ベースに配置された対物レンズ駆動装置とを有するディスクドライブ装置であって、
上記対物レンズ駆動装置は、
上記移動ベース上に設けられた固定プレートと、
該固定プレート上に配置され移動ベースに対して固定された固定ブロックと、
対物レンズを保持すると共に固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作される可動ブロックと、
該可動ブロックを固定ブロックに対して移動可能に支持する複数の支持バネと、
可動ブロックを上記フォーカシング方向又はトラッキング方向へ動作させる第１の磁気回路と、
可動ブロックを上記チルト方向へ動作させる第２の磁気回路とを備え、
該第２の磁気回路はＮ極とＳ極がフォーカシング方向において位置するように２極着磁され上記半径方向に離隔して配置された一対のチルトマグネットと該一対のチルトマグネットにそれぞれ対向して配置され巻軸方向がタンジェンシャル方向である一対のチルトコイルとを有し、
一対のチルトマグネットが可動ブロックに設けられ、
一対のチルトコイルが固定ブロックに設けられ、
上記第１の磁気回路を挟んでタンジェンシャル方向における反対側に対物レンズと第２の磁気回路とが位置されるようにした
ことを特徴とするディスクドライブ装置。
【請求項５】
上記固定プレートの一部を立ち曲げて、チルトコイルを挟んでタンジェンシャル方向におけるチルトマグネットの反対側に配置されたチルトヨークを設けた
ことを特徴とする請求項４に記載のディスクドライブ装置。
【請求項６】
上記チルトマグネットのチルトコイルと対向する面の反対の面側にバックヨークを配置した
ことを特徴とする請求項４に記載のディスクドライブ装置。
【発明の詳細な説明】
【技術分野】
【０００１】
本発明は光ピックアップ及びディスクドライブ装置に関する。詳しくは、可動ブロックが固定ブロックに対してフォーカシング方向、トラッキング方向及びチルト方向の３方向へ動作される対物レンズ駆動装置を有する光ピックアップ及びこれを備えたディスクドライブ装置についての技術分野に関する。
【背景技術】
【０００２】
光ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置によって、その可動ブロックに保持された対物レンズをディスク状記録媒体の記録面に離接する方向であるフォーカシング方向に動作させてフォーカシング調整を行うと共に対物レンズをディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００４】
このように光ピックアップにあっては、対物レンズ駆動装置によってフォーカシング調整及びトラッキング調整を行うのが一般的であるが、近年、レーザー光のスポットの記録トラックに対する追従性の向上等を図るために、フォーカシング調整及びトラッキング調整の２軸方向の調整に加え、可動ブロックをディスク状記録媒体の記録面に対して傾動可能とし、回転中のディスク状記録媒体に面振れ等が生じたときの調整をも可能とした所謂３軸アクチュエーターと称される対物レンズ駆動装置が開発されている。従って、３軸アクチュエーターと称される対物レンズ駆動装置にあっては、可動ブロックが固定ブロックに対してフォーカシング方向、トラッキング方向及びディスク状記録媒体の上記半径方向に直交しディスク状記録媒体の接線方向となるタンジェンシャル方向に延びる軸の軸回り方向であるチルト方向へ動作される。
【０００５】
３軸アクチュエーターと称される対物レンズ駆動装置としては、従来、以下のようなタイプが開発されている。
【０００６】
例えば、対物レンズを保持する可動ブロックが支持バネを介して固定ブロックに移動自在に支持され、可動ブロックを固定ブロックに対して傾動させるためのチルトコイルが可動ブロックに設けられ、チルトコイルに対向して位置されるチルトマグネットが固定ブロックに設けられている。このようなチルトコイルが可動ブロックに設けられているタイプは、ムービングコイル型と称される。
【０００７】
ムービングコイル型の対物レンズ駆動装置にあっては、可動ブロック側に配置されたフォーカシング調整用のフォーカシングコイル、トラッキング調整用のトラッキングコイル及びチルト調整用のチルトコイルのそれぞれに駆動電流を供給するための２本ずつの支持バネが必要とされる。従って、合計６本の支持バネを介して可動ブロックが固定ブロックに支持されている。
【０００８】
一方、ムービングコイル型とは別のタイプの３軸アクチュエーターとしては、対物レンズを保持する可動ブロックが支持バネを介して固定ブロックに移動自在に支持され、可動ブロックを固定ブロックに対して傾動させるためのチルトコイルが固定ブロックに設けられ、チルトコイルに対向して位置されるチルトマグネットが可動ブロックに設けられている（例えば、特許文献１参照）。このようなチルトマグネットが可動ブロックに設けられているタイプは、ムービングマグネット型と称される。
【０００９】
ムービングマグネット型の対物レンズ駆動装置にあっては、チルトマグネットが可動ブロックに設けられているため、ムービングコイル型の対物レンズ駆動装置に比して可動ブロックの重量が大きくなるが、チルトコイルに対して駆動電流を供給するための支持バネを必要としないため、ムービングコイル型の対物レンズ駆動装置に比し、部品点数の低減や組立作業の容易化を図ることができるという利点がある。
【００１０】
【特許文献１】特開２０００―２２２７５５号公報
【発明の開示】
【発明が解決しようとする課題】
【００１１】
ところが、特許文献１に記載された対物レンズ駆動装置にあっては、可動ブロックに設けられたチルトマグネットが単極着磁とされ、固定ブロックに設けられたチルトコイルは巻軸方向がフォーカシング方向とされているため、角筒状に巻回されたチルトコイルの約４分の１の部分に流れる駆動電流とマグネットの磁束との関係によって可動ブロックがチルト方向へ動作される。従って、チルト調整のために使用されるチルトコイルの部分が少なく、感度の低下を来たすおそれがある。
【００１２】
また、この感度の低下に対応するためには、磁力の強いマグネットを用いたり高い駆動電流をチルトコイルに供給する必要が生じるが、これらにより対物レンズ駆動装置の製造コストの増大や消費電力の増大等を来たしてしまう。
【００１３】
さらに、巻軸方向がフォーカシング方向となるようにチルトコイルが配置されると、その分、タンジェンシャル方向におけるチルトコイルの配置スペースが大きくなり、対物レンズ駆動装置がタンジェンシャル方向に大きくなり小型化を阻害する他、可動ブロックの支持状態が不安定になるという不具合もある。
【００１４】
一方、対物レンズ駆動装置にあっては、一般に、可動ブロックを挟んでディスク状記録媒体の反対側に配置された立ち上げミラーによって光源から出射されたレーザー光を対物レンズに導いている。この場合、例えば、対物レンズの周囲にコイルやマグネット等によって構成される磁気回路が配置されているようなタイプでは、立ち上げミラーに入射させるためのレーザー光の光路を磁気回路の下方側の位置に設定する必要があり、その分、対物レンズ駆動装置の厚みが増し、薄型化を図ることができなくなってしまう。特に、携帯用の機器に用いられる光ピックアップにあっては、薄型化の要求が高いため、薄型化に支障を来たすことは大きな問題となる。
【００１５】
そこで、本発明光ピックアップ及びディスクドライブ装置は、上記した問題点を克服し、対物レンズ駆動装置の感度の向上及び小型薄型化を図ることを課題とする。
【課題を解決するための手段】
【００１６】
本発明光ピックアップ及びディスクドライブ装置は、上記した課題を解決するために、対物レンズ駆動装置に、移動ベース上に設けられた固定プレートと、該固定プレート上に配置され移動ベースに対して固定された固定ブロックと、対物レンズを保持すると共に固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作される可動ブロックと、該可動ブロックを固定ブロックに対して移動可能に支持する複数の支持バネと、可動ブロックを上記フォーカシング方向又はトラッキング方向へ動作させる第１の磁気回路と、可動ブロックを上記チルト方向へ動作させる第２の磁気回路とを設け、該第２の磁気回路はＮ極とＳ極がフォーカシング方向において位置するように２極着磁され上記半径方向に離隔して配置された一対のチルトマグネットと該一対のチルトマグネットにそれぞれ対向して配置され巻軸方向がタンジェンシャル方向である一対のチルトコイルとを有し、一対のチルトマグネットを可動ブロックに設け、一対のチルトコイルを固定ブロックに設け、上記第１の磁気回路を挟んでタンジェンシャル方向における反対側に対物レンズと第２の磁気回路とを位置させるようにしたものである。
【００１７】
従って、本発明光ピックアップ及びディスクドライブ装置にあっては、チルトコイルのチルト調整に使用可能な部分が増加する。
【発明の効果】
【００１８】
本発明光ピックアップは、ディスクテーブルに装着されるディスク状記録媒体の半径方向へ移動される移動ベースと該移動ベースに配置された対物レンズ駆動装置とを備えた光ピックアップであって、上記対物レンズ駆動装置は、上記移動ベース上に設けられた固定プレートと、該固定プレート上に配置され移動ベースに対して固定された固定ブロックと、対物レンズを保持すると共に固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作される可動ブロックと、該可動ブロックを固定ブロックに対して移動可能に支持する複数の支持バネと、可動ブロックを上記フォーカシング方向又はトラッキング方向へ動作させる第１の磁気回路と、可動ブロックを上記チルト方向へ動作させる第２の磁気回路とを備え、該第２の磁気回路はＮ極とＳ極がフォーカシング方向において位置するように２極着磁され上記半径方向に離隔して配置された一対のチルトマグネットと該一対のチルトマグネットにそれぞれ対向して配置され巻軸方向がタンジェンシャル方向である一対のチルトコイルとを有し、一対のチルトマグネットが可動ブロックに設けられ、一対のチルトコイルが固定ブロックに設けられ、上記第１の磁気回路を挟んでタンジェンシャル方向における反対側に対物レンズと第２の磁気回路とが位置されるようにしたことを特徴とする。
【００１９】
従って、チルトコイルを巻軸方向がタンジェンシャル方向となるように配置しているため、可動ブロックにチルト方向への推力を発生させるための部分として使用可能なチルトコイルの部分が大きく、チルト調整時における可動ブロックの感度の向上を図ることができる。
【００２０】
また、可動ブロックの感度の向上を図ることができるため、その分、磁力の強いマグネットを使用する必要がないと共にチルトコイルに高い駆動電流を供給する必要がなく、対物レンズ駆動装置の製造コストの低減及び消費電力の低減を図ることができる。
【００２１】
さらに、チルトコイルの巻軸方向がフォーカシング方向とならないため、タンジェンシャル方向におけるチルトコイルの配置スペースが小さくて済み、対物レンズ駆動装置のタンジェンシャル方向における大きさを小さくすることができる。
【００２２】
さらにまた、第１の磁気回路を挟んでタンジェンシャル方向における反対側に対物レンズと第２の磁気回路とが配置された構成とされているため、立ち上げミラーを第１の磁気回路と同じ高さ位置に配置することができ、その分、対物レンズ駆動装置の薄型化を図ることができる。このような薄型化は、特に、携帯用の機器に用いられる光ピックアップにおいて好適である。
【００２３】
加えて、チルトマグネットが可動ブロックに設けられ、チルトコイルが固定ブロックに設けられているため、チルトコイルに給電するための支持バネが不要であり、その分、部品点数の削減及び対物レンズ駆動装置の組立性の簡素化を図ることができる。
【００２４】
請求項２に記載した発明にあっては、上記固定プレートの一部を立ち曲げて、チルトコイルを挟んでタンジェンシャル方向におけるチルトマグネットの反対側に配置されたチルトヨークを設けたので、別に専用のチルトヨークを設ける必要がなく、固定ブロックを固定するための部分とチルトヨークとを共用でき部品点数の削減を図ることができる。
【００２５】
請求項３に記載した発明にあっては、上記チルトマグネットのチルトコイルと対向する面の反対の面側にバックヨークを配置したので、チルト調整時における可動ブロックの感度の向上を図ることができる。
【００２６】
また、チルトマグネットからの漏れ磁束が減少し、第２の磁気回路が第１の磁気回路の影響を受け難く、漏れ磁束の影響による可動ブロックの固定ブロックに対する傾きを防止することができる。
【００２７】
本発明ディスクドライブ装置は、ディスク状記録媒体が装着されるディスクテーブルと該ディスクテーブルに装着されるディスク状記録媒体に対して対物レンズを介してレーザー光を照射する光ピックアップとを備え、該光ピックアップはディスクテーブルに装着されるディスク状記録媒体の半径方向へ移動される移動ベースと該移動ベースに配置された対物レンズ駆動装置とを有するディスクドライブ装置であって、上記対物レンズ駆動装置は、上記移動ベース上に設けられた固定プレートと、該固定プレート上に配置され移動ベースに対して固定された固定ブロックと、対物レンズを保持すると共に固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作される可動ブロックと、該可動ブロックを固定ブロックに対して移動可能に支持する複数の支持バネと、可動ブロックを上記フォーカシング方向又はトラッキング方向へ動作させる第１の磁気回路と、可動ブロックを上記チルト方向へ動作させる第２の磁気回路とを備え、該第２の磁気回路はＮ極とＳ極がフォーカシング方向において位置するように２極着磁され上記半径方向に離隔して配置された一対のチルトマグネットと該一対のチルトマグネットにそれぞれ対向して配置され巻軸方向がタンジェンシャル方向である一対のチルトコイルとを有し、一対のチルトマグネットが可動ブロックに設けられ、一対のチルトコイルが固定ブロックに設けられ、上記第１の磁気回路を挟んでタンジェンシャル方向における反対側に対物レンズと第２の磁気回路とが位置されるようにしたことを特徴とする。
【００２８】
従って、チルトコイルを巻軸方向がタンジェンシャル方向となるように配置しているため、可動ブロックにチルト方向への推力を発生させるための部分として使用可能なチルトコイルの部分が大きく、チルト調整時における可動ブロックの感度の向上を図ることができる。
【００２９】
また、可動ブロックの感度の向上を図ることができるため、その分、磁力の強いマグネットを使用する必要がないと共にチルトコイルに高い駆動電流を供給する必要がなく、対物レンズ駆動装置の製造コストの低減及び消費電力の低減を図ることができる。
【００３０】
さらに、チルトコイルの巻軸方向がフォーカシング方向とならないため、タンジェンシャル方向におけるチルトコイルの配置スペースが小さくて済み、対物レンズ駆動装置のタンジェンシャル方向における大きさを小さくすることができる。
【００３１】
さらにまた、第１の磁気回路を挟んでタンジェンシャル方向における反対側に対物レンズと第２の磁気回路とが配置された構成とされているため、立ち上げミラーを第１の磁気回路と同じ高さ位置に配置することができ、その分、対物レンズ駆動装置の薄型化を図ることができる。このような薄型化は、特に、携帯用のディスクドライブ装置において好適である。
【００３２】
加えて、チルトマグネットが可動ブロックに設けられ、チルトコイルが固定ブロックに設けられているため、チルトコイルに給電するための支持バネが不要であり、その分、部品点数の削減及び対物レンズ駆動装置の組立性の簡素化を図ることができる。
【００３３】
請求項５に記載した発明にあっては、上記固定プレートの一部を立ち曲げて、チルトコイルを挟んでタンジェンシャル方向におけるチルトマグネットの反対側に配置されたチルトヨークを設けたので、別に専用のチルトヨークを設ける必要がなく、固定ブロックを固定するための部分とチルトヨークとを共用でき部品点数の削減を図ることができる。
【００３４】
請求項６に記載した発明にあっては、上記チルトマグネットのチルトコイルと対向する面の反対の面側にバックヨークを配置したので、チルト調整時における可動ブロックの感度の向上を図ることができる。
【００３５】
また、チルトマグネットからの漏れ磁束が減少し、第２の磁気回路が第１の磁気回路の影響を受け難く、漏れ磁束の影響による可動ブロックの固定ブロックに対する傾きを防止することができる。
【発明を実施するための最良の形態】
【００３６】
以下に、本発明光ピックアップ及びディスクドライブ装置の最良の形態を添付図面を参照して説明する。
【００３７】
ディスクドライブ装置１は、外筐２内に所要の各部材及び各機構が配置されて成り（図１参照）、外筐２には図示しないディスク挿入口が形成されている。
【００３８】
外筐２内には図示しないシャーシが配置され、該シャーシに取り付けられたスピンドルモーターのモーター軸にディスクテーブル３が固定されている。
【００３９】
シャーシには、平行なガイド軸４、４が取り付けられると共に図示しない送りモーターによって回転されるリードスクリュー５が支持されている。
【００４０】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００４１】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００４２】
対物レンズ駆動装置８はベース部材９と固定プレート１０と固定ブロック１１と該固定ブロック１１に対して動作される可動ブロック１２とを有している（図２及び図３参照）。
【００４３】
ベース部材９は磁性金属材料、例えば、ＳＰＣＣ（冷間圧延鋼板）や珪素鋼板等によって形成され、図２に示すように、移動ベース７上に固定されたベース部９ａと該ベース部９ａからそれぞれ直角に立ち曲げられたヨーク部９ｂ、９ｂとから成る。ヨーク部９ｂ、９ｂは前後方向、即ち、ディスク状記録媒体１００のタンジェンシャル方向（ＴＡＮ）に離隔して設けられている。
【００４４】
ヨーク部９ｂ、９ｂの互いに対向する面には、それぞれマグネット１３、１３が取り付けられている。
【００４５】
固定プレート１０はベース部材９に対してタンジェンシャル方向（後方）に離隔して設けられ、移動ベース７上に固定されている。固定プレート１０は磁性金属材料、例えば、ＳＰＣＣ（冷間圧延鋼板）や珪素鋼板等によって形成され、移動ベース７上に固定されたプレートベース１０ａと該プレートベース１０ａの前端部から立ち曲げられディスク状記録媒体１００の半径方向（ＲＡＤ）に離隔して設けられたチルトヨーク１０ｂ、１０ｂとを有している。
【００４６】
固定ブロック１１は固定プレート１０のプレートベース１０ａ上に固定され、固定ブロック１１の後面には、その左右両端部に上下に離隔して合計４つの端子部１１ａ、１１ａ、・・・が設けられている（図４及び図５参照）。
【００４７】
固定ブロック１１の下端部には、その後面から後方へ突出された端子ピン１１ｂ、１１ｂが設けられ（図４参照）、該端子ピン１１ｂ、１１ｂは左右に離隔して位置されている。
【００４８】
固定ブロック１１の前面部には、前方へ突出された位置決め突部１１ｃ、１１ｃが左右に離隔して設けられている（図６参照）。
【００４９】
固定ブロック１１の後面には中継基板１４が取り付けられている（図４参照）。中継基板１４は中央部に位置する基部１４ａと該基部１４ａから左右に突出された４つの接続部１４ｂ、１４ｂ、・・・とから成る。中継基板１４は接続部１４ｂ、１４ｂ、・・・の各先端部が、それぞれ端子部１１ａ、１１ａ、・・・に、例えば、半田１５、１５、・・・によって接続されている。
【００５０】
固定ブロック１１の前面には、左右、即ち、ディスク状記録媒体１００の半径方向に離隔して一対のチルトコイル１６、１６が取り付けられている（図３及び図６参照）。チルトコイル１６、１６は、図６に示すように、それぞれ固定ブロック１１の前面部に設けられた位置決め突部１１ｃ、１１ｃに外嵌されることにより固定ブロック１１に取り付けられる。従って、固定ブロック１１に位置決め突部１１ｃ、１１ｃを設けることにより、チルトコイル１６、１６の固定ブロック１１に対する位置決め及び取付を容易に行うことができる。
【００５１】
チルトコイル１６、１６は厚みの薄い略角筒状に形成され、巻軸方向が前後方向、即ち、タンジェンシャル方向となるように固定ブロック１１に取り付けられている。チルトコイル１６、１６は、それぞれその上下に位置する部分１６ａ、１６ａ、・・・が可動ブロック１２にチルト方向への推力を発生させるための部分である。尚、チルト方向はディスク状記録媒体１００の面振れの方向（図３に示すＲ方向）、即ち、タンジェンシャル方向に延びる軸を中心とした回動方向である。
【００５２】
チルトコイル１６、１６の各一端部は固定ブロック１１の後面に設けられた端子ピン１１ｂ、１１ｂに巻き付けられて取り付けられる（図４参照）。
【００５３】
固定ブロック１１の後面に取り付けられた中継基板１４には図示しない電源回路に接続された給電用基板１７が取り付けられて接続される（図４及び図５参照）。給電用基板１７は、例えば、フレキシブルプリント配線板であり、４つの接続線１７ａ、１７ａ、・・・と２つの接続線１７ｂ、１７ｂとを有している。接続線１７ａ、１７ａ、・・・はそれぞれ中継基板１４の接続部１４ｂ、１４ｂ、・・・に、例えば、半田１８、１８、・・・によって接続され、接続線１７ｂ、１７ｂはそれぞれ端子ピン１１ｂ、１１ｂに取り付けられたチルトコイル１６、１６の各一端部に、例えば、半田１９、１９によって接続される。従って、チルトコイル１６、１６には電源回路から給電用基板１７の接続線１７ｂ、１７ｂを介してチルト調整用の駆動電流が供給される。
【００５４】
このように給電用基板１７とチルトコイル１６、１６との接続は、チルトコイル１６、１６の各一端部を端子ピン１１ｂ、１１ｂに巻き付け、チルトコイル１６、１６の各一端部と接続線１７ｂ、１７ｂとを半田１９、１９によって固定すようにしているため、容易に行うことができ、給電用基板１７とチルトコイル１６、１６との接続作業の簡素化及び接続の信頼性の向上を図ることができる。
【００５５】
固定ブロック１１の前端寄りの位置には、上下に延びるヨーク配置孔１１ｄ、１１ｄが形成され（図６及び図７参照）、該ヨーク配置孔１１ｄ、１１ｄにはそれぞれ固定プレート１０のチルトヨーク１０ｂ、１０ｂが下方から挿入されて配置される。チルトヨーク１０ｂ、１０ｂは、それぞれチルトコイル１６、１６の直ぐ後側に位置される（図８参照）。
【００５６】
固定ブロック１１の端子部１１ａ、１１ａ、・・・にはそれぞれ支持バネ２０、２０、・・・の各後端部が接続され（図３及び図４参照）、該支持バネ２０、２０、・・・は端子部１１ａ、１１ａ、・・・及び中継基板１４の各接続部１４ｂ、１４ｂ、・・・を介して給電用基板１７の各接続線１７ａ、１７ａ、・・・に接続されている。支持バネ２０、２０、・・・は固定ブロック１１から前方へ向けて突出されている。
【００５７】
可動ブロック１２は可動ホルダー２１と該可動ホルダー２１に保持された対物レンズ２２とを有している（図３乃至図５参照）。
【００５８】
可動ホルダー２１はレンズ取付部２３と該レンズ取付部２３の後側に設けられたコイル保持部２４とが一体に形成されて成る。
【００５９】
レンズ取付部２３には上下に貫通された透過孔２３ａが形成され（図７参照）、該透過孔２３ａを上側から覆うようにして対物レンズ２２が取り付けられている。
【００６０】
コイル保持部２４は上下に貫通された略矩形の枠状に形成され、コイル保持部２４の内側にはフォーカシングコイル２５とトラッキングコイル２６、２６が保持されている。
【００６１】
フォーカシングコイル２５は可動ブロック１２をフォーカシング方向、即ち、ディスク状記録媒体１００に離接する方向（図３に示すＦ方向）に動作させるためのコイルであり、トラッキングコイル２６、２６は可動ブロック１２をトラッキング方向、即ち、ディスク状記録媒体１００の略半径方向（図３に示すＴ方向）に動作させるためのコイルである。
【００６２】
フォーカシングコイル２５及びトラッキングコイル２６、２６はそれぞれ略角筒状に巻回されて形成され、フォーカシングコイル２５は巻軸方向が上下方向（フォーカシング方向）とされ、トラッキングコイル２６、２６は巻軸方向が前後方向（タンジェンシャル方向）とされている。トラッキングコイル２６、２６はフォーカシングコイル２５の前面に左右に離隔して設けられている。
【００６３】
フォーカシングコイル２５及びトラッキングコイル２６、２６の各端部は、それぞれ可動ホルダー２１の両側面に設けられた接続端子部２１ａ、２１ａ、・・・に接続されている。接続端子部２１ａ、２１ａ、・・・にはそれぞれ支持バネ２０、２０、・・・の各前端部が接続されている。従って、可動ブロック１２は支持バネ２０、２０、・・・によって固定ブロック１１と連結されて中空に保持される。
【００６４】
対物レンズ駆動装置８にあっては、上記のように、可動ブロック１２が支持バネ２０、２０・・・によって固定ブロック１１に対して中空に保持された状態において、例えば、フォーカシング方向が上下方向となる向きで可動ブロック１２が動作される場合には、図９に示すように、可動ブロック１２が自重により下方へ移動され支持バネ２０、２０、・・・の前端部が後端部より下方に位置するように撓んだ状態となる。対物レンズ駆動装置８にあっては、この自重により可動ブロック１２が下方へ移動された位置を可動ブロック１２のフォーカシング方向における中立位置として設定している。従って、フォーカシング方向における中立位置においては、図９に示すように、チルトマグネット２９、２９の上下方向における中央、即ち、磁極間のニュートラルラインＭ１がチルトコイル１６、１６の上下方向における中央Ｍ２に一致されている。
【００６５】
このように可動ブロック１２の自重を考慮した位置をフォーカシング方向における中立位置に設定することにより、可動ブロック１２のフォーカシング動作に伴うチルト特性の変化が上下で対称となるため、対物レンズ駆動装置８のチルト動作の信頼性を図ることができる。
【００６６】
尚、対物レンズ駆動装置８が、フォーカシング方向が上下方向とならない状態で使用される場合には、例えば、可動ブロック１２にフォーカスサーボをかけた状態でフォーカシングコイル２５に供給される駆動電流が０のときの位置を、可動ブロック１２のフォーカシング方向における中立位置として設定すればよい。
【００６７】
支持バネ２０、２０、・・・には、電源回路から給電用基板１７の各接続線１７ａ、１７ａ、・・・及び中継基板１４の各接続部１４ｂ、１４ｂ、・・・を介してフォーカシング調整用又はトラッキング調整用の駆動電流が供給される。従って、支持バネ２０、２０、・・・のうち各２本ずつが、それぞれフォーカシングコイル２５とトラッキングコイル２６、２６への給電部材として機能する。
【００６８】
フォーカシングコイル２５の前側の部分とトラッキングコイル２６、２６の前後両側には、それぞれヨーク部９ｂ、９ｂに取り付けられたマグネット１３、１３が配置される（図８参照）。このようにマグネット１３、１３が配置されることにより、マグネット１３、１３、ヨーク部９ｂ、９ｂ、フォーカシングコイル２５及びトラッキングコイル２６、２６によって可動ブロック１２をフォーカシング方向又はトラッキング方向へ動作させる第１の磁気回路２７が構成される。
【００６９】
可動ホルダー２１のコイル保持部２４の後面部には、左右に離隔してバックヨーク２８、２８とチルトマグネット２９、２９が重ねられた状態で取り付けられている（図２及び図３参照）。チルトマグネット２９、２９は、図２に示すように、Ｎ極２９ａ、２９ａとＳ極２９ｂ、２９ｂがフォーカシング方向に分かれて位置するように２極着磁されている。
【００７０】
チルトマグネット２９、２９は、それぞれ固定ブロック１１の前面に取り付けられたチルトコイル１６、１６に対向して位置される（図８参照）。このようにチルトマグネット２９、２９がチルトコイル１６、１６に対向して位置されることにより、チルトマグネット２９、２９、バックヨーク２８、２８、チルトコイル１６、１６及びチルトヨーク１０ｂ、１０ｂよって可動ブロック１２をチルト方向へ動作させる第２の磁気回路３０が構成される。
【００７１】
電源回路から給電用基板１７、中継基板１４及び支持バネ２０、２０、・・・を介してフォーカシングコイル２５又はトラッキングコイル２６、２６に駆動電流が供給されると、これらの駆動電流の向きとマグネット１３、１３及びヨーク部９ｂ、９ｂにより発生する磁束の方向との関係によって、可動ブロック１２がフォーカシング方向（図３に示すＦ方向）又はトラッキング方向（図３に示すＴ方向）に移動される。
【００７２】
また、電源回路から給電用基板１７を介してチルトコイル１６、１６に駆動電流が供給されると、これらの駆動電流の向きとバックヨーク２８、２８、チルトマグネット２９、２９、チルトヨーク１０ｂ、１０ｂにより発生する磁束の方向との関係によって、可動ブロック１２がチルト方向（図３に示すＲ方向）に移動される。尚、チルト調整は、チルトコイル１６、１６に駆動電流が供給されたときに、可動ブロック１２に生じる推力が左側と右側で反対側（上下）に生じて、可動ブロック１２がチルト方向へ動作されることにより行われる。
【００７３】
可動ブロック１２がフォーカシング方向、トラッキング方向又はチルト方向へ動作されるときには、支持バネ２０、２０、・・・が弾性変形される。
【００７４】
可動ホルダー２１に設けられた対物レンズ２２の下方には、立ち上げミラー３１が配置されている（図９参照）。
【００７５】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００７６】
この記録動作及び再生動作において、フォーカシングコイル２５に駆動電流が供給されると、上記したように、対物レンズ駆動装置８の可動ブロック１２が固定ブロック１１に対して図３に示すフォーカシング方向Ｆ―Ｆへ動作され、移動ベース７に設けられた図示しない光源から出射され対物レンズ２２を介して照射されるレーザー光のスポットがディスク状記録媒体１００の反りに対応して略垂直に集光するようにフォーカシング調整が為される。
【００７７】
また、トラッキングコイル２６、２６に駆動電流が供給されると、上記したように、対物レンズ駆動装置８の可動ブロック１２が固定ブロック１１に対して図    に示すトラッキング方向Ｔ―Ｔへ動作され、光源から出射され対物レンズ２２を介して照射されるレーザー光のスポットがディスク状記録媒体１００の記録トラック上に集光するようにトラッキング調整が為される。
【００７８】
さらに、チルトコイル１６、１６に駆動電流が供給されると、上記したように、対物レンズ駆動装置８の可動ブロック１２が固定ブロック１１に対して図３に示すチルト方向Ｒ―Ｒへ動作され、光源から出射され対物レンズ２２を介して照射されるレーザー光のスポットがディスク状記録媒体１００の記録トラック上に集光するようにチルト調整が為される。
【００７９】
以上に記載した通り、光ピックアップ６にあっては、Ｎ極２９ａ、２９ａとＳ極２９ｂ、２９ｂがフォーカシング方向に分かれて位置するように２極着磁されたチルトマグネット２９、２９を設け、チルトコイル１６、１６を巻軸方向がタンジェンシャル方向となるように配置しているため、チルトコイル１６、１６の全体の約２分の１の部分１６ａ、１６ａ、・・・を可動ブロック１２にチルト方向への推力を発生させるための部分として使用することができ、チルト調整時における可動ブロック１２の感度の向上を図ることができる。
【００８０】
また、可動ブロック１２の感度の向上を図ることができるため、その分、磁力の強いマグネットを使用する必要がないと共にチルトコイル１６、１６に高い駆動電流を供給する必要がなく、対物レンズ駆動装置８の製造コストの低減及び消費電力の低減を図ることができる。
【００８１】
さらに、チルトコイル１６、１６の巻軸方向がフォーカシング方向とならないため、タンジェンシャル方向におけるチルトコイル１６、１６の配置スペースが小さくて済み、対物レンズ駆動装置８のタンジェンシャル方向における大きさを小さくすることができる。
【００８２】
さらにまた、対物レンズ駆動装置８にあっては、フォーカシング調整用及びトラッキング調整用の第１の磁気回路２７を挟んでタンジェンシャル方向における反対側に対物レンズ２２とチルト調整用の第２の磁気回路３０とが配置された構成とされているため、立ち上げミラー３１を第１の磁気回路２７と同じ高さ位置に配置することができ、その分、対物レンズ駆動装置８の薄型化を図ることができる。このような薄型化は、特に、携帯用の機器に用いられる光ピックアップにおいて好適である。
【００８３】
また、対物レンズ駆動装置８は、チルトマグネット２９、２９が可動ブロック１２に設けられ、チルトコイル１６、１６が固定ブロック１１に設けられているため、チルトコイル１６、１６に給電するための支持バネが不要であり、その分、部品点数の削減及び対物レンズ駆動装置８の組立性の簡素化を図ることができる。
【００８４】
加えて、対物レンズ駆動装置８にあっては、固定ブロック１１を固定するための固定プレート１０の一部を立ち曲げてチルトヨーク１０ｂ、１０ｂを設けているため、別に専用のチルトコイルを設ける必要がなく、固定ブロック１１を固定するための部分であるプレートベース１０ａとチルトヨーク１０ｂ、１０ｂとを共用でき部品点数の削減を図ることができる。
【００８５】
対物レンズ駆動装置８にあっては、チルトマグネット２９、２９のチルトコイル１６、１６と対向する面の反対の面側にバックヨーク２８、２８を配置している。
【００８６】
従って、チルト調整時における可動ブロック１２の感度の向上を図ることができる。
【００８７】
尚、バックヨーク２８、２８を設けない場合には、図１０に示すように、例えば、各部に生じる磁力の向きの関係から、チルトマグネット２９の上側の部分が第１の磁気回路２７側に吸引され、チルトマグネット２９の下側の部分が第１の磁気回路２７に対して反発するため、チルトマグネット２９に下方への移動力Ｐが生じ、可動ブロック１２が下方へ移動されフォーカシング動作に悪影響を及ぼすおそれがある。
【００８８】
また、対物レンズ駆動装置８には、それぞれ一対のチルトマグネット２９、２９とチルトコイル１６、１６とがトラッキング方向（図１１に示すＴ方向）に離隔して設けられており、可動ブロック１２がトラッキング動作によりトラッキング方向へ移動されたときには、チルトマグネット２９、２９と第１の磁気回路２７との位置関係が変化するため、上記のように、チルトマグネット２９、２９が第１の磁気回路２７の影響を受ける場合には、チルトマグネット２９、２９に生じる下方への移動力が左右で異なってしまい、可動ブロック１２が図１１に示すＲ方向へ傾いて対物レンズ２２を介してディスク状記録媒体１００に照射されるレーザー光の光軸が傾いてしまうおそれがある。
【００８９】
さらに、対物レンズ駆動装置８においては、製造上の誤差等により支持バネ２０、２０、・・・のバネ力が左右で異なるときには、一般に、フォーカシング動作時の可動ブロック１２のＲ方向への傾きが最適（ゼロ）となるようにベース部材９のトラッキング方向における位置調整を行うが、この場合にも、上記と同様に、チルトマグネット２９、２９と第１の磁気回路２７との位置関係が変化し、チルトマグネット２９、２９に生じる下方への移動力が左右で異なってしまい、可動ブロック１２が図１１に示すＲ方向へ傾いてしまうおそれがある。
【００９０】
しかしながら、対物レンズ駆動装置８にあっては、上記のように、チルトマグネット２９、２９のチルトコイル１６、１６と対向する面の反対の面側にバックヨーク２８、２８が配置されているため、図１２に示すように、チルトマグネット２９、２９からの漏れ磁束が減少し、第２の磁気回路３０が第１の磁気回路２７の影響を受け難く、上記のような可動ブロック１２のＲ方向への傾きを防止することができる。
【００９１】
尚、対物レンズ駆動装置８はバックヨーク２８、２８を設けない構成とすることも可能であり、この場合には、上記のようにチルトマグネット２９、２９に生じるベース部材９側（下方側）への移動力を利用して、フォーカシングコイル２５に駆動電流を供給しない非使用状態において、可動ブロック１２の使用姿勢によらず、対物レンズ２２をディスク状記録媒体１００から離隔して保持することができ、ディスク状記録媒体１００と対物レンズ２２との接触を防止することができる。
【００９２】
上記には、フォーカシング方向を上下方向、トラッキング方向を左右方向として説明したが、これらの方向は説明の便宜上、例として示したものであり、特にこれらの方向に限定されることはない。
【００９３】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９４】
【図１】図２乃至図１２と共に本発明を実施するための最良の形態を示すものであり、本図はディスクドライブ装置の概略斜視図である。
【図２】対物レンズ駆動装置の一部を分解して示す拡大斜視図である。
【図３】対物レンズ駆動装置の拡大斜視図である。
【図４】対物レンズ駆動装置を給電用基板を取り外して示す拡大斜視図である。
【図５】対物レンズ駆動装置を図３とは異なる方向から見た状態を示す拡大斜視図である。
【図６】固定ブロックを示す拡大分解斜視図である。
【図７】対物レンズ駆動装置を一部を省略し図３、図５とは異なる方向から見た状態を示す拡大斜視図である。
【図８】第１の磁気回路と第２に磁気回路を示す拡大斜視図である。
【図９】対物レンズ駆動装置を示す概略拡大側面図である。
【図１０】バックヨークが設けられていない場合の磁力の向きを示す概念図である。
【図１１】バックヨークが設けられていない場合に生じ得る動作を説明するための概念図である。
【図１２】バックヨークが設けられている場合の磁力の向きを示す概念図である。
【符号の説明】
【００９５】
１００…ディスク状記録媒体、１…ディスクドライブ装置、３…ディスクテーブル、６…光ピックアップ、７…移動ベース、８…対物レンズ駆動装置、１０…固定プレート、１０ｂ…チルトヨーク、１１…固定ブロック、１２…可動ブロック、１６…チルトコイル、２０…支持バネ、２２…対物レンズ、２７…第１の磁気回路、２８…バックヨーク、２９…チルトマグネット、２９ａ…Ｎ極、２９ｂ…Ｓ極、３０…第２の磁気回路
【図１】
2005302161.tif 000003
【図２】
2005302161.tif 000004
【図３】
2005302161.tif 000005
【図４】
2005302161.tif 000006
【図５】
2005302161.tif 000007
【図６】
2005302161.tif 000008
【図７】
2005302161.tif 000009
【図８】
2005302161.tif 000010
【図９】
2005302161.tif 000011
【図１０】
2005302161.tif 000012
【図１１】
2005302161.tif 000013
【図１２】
2005302161.tif 000014